(57)【要約】【課題】クリア樹脂塗装で仕上げた皮革製品の、劣化した樹脂塗膜を、箇所・元来の色味・艶感・風合いを選ばず、かつ修理痕を目立たせずに修理したい。【解決手段】修理対象部材の樹脂を隅部まで剥がし、塗装しなおす。【特許請求の範囲】
【請求項１】
皮革製品に施された透明性を有する樹脂塗膜を修理するために、修理対象部材の劣化した樹脂塗膜の除去工程と新たに樹脂を塗布し直す工程を持つ修理方法。
【請求項２】
皮革製品に施された透明性を有する樹脂塗膜を修理するために、修理対象部材の劣化した樹脂塗膜の除去工程、塗膜の密着度を上げるために下地を整える（脱脂する、荒らして足付けをする、接着剤もしくはプライマーを塗る、以上からなる群から選択された１種以上の方法）工程、新た  に樹脂を塗布し直す工程を持つ修理方法。
【請求項３】
皮革製品に施された透明性を有する樹脂塗膜の下（皮革と塗膜の間）に入ってしまったシミや汚れを落とす、もしくは目立たなくするために、修理対象部材の樹脂塗膜を除去する工程、皮革素地の色を変える工程、新たに樹脂を塗布し直す工程を持つ修理方法。
【発明の詳細な説明】
【技術分野】
【０００１】クリア塗装仕上げの皮革製品の修理に関する。
【背景技術】
【０００２】従来、透明性を有する樹脂で表面処理を施した皮革製品の樹脂表面にできた、キズ・塗膜の浮き・剥がれ・ひび割れ・曇り・その他の表面樹脂の劣化を修理する方法として、加工済みの皮革と交換または張り替えをする方法がある。
例えば０００４の非特許文献に記載した  「靴修理・合鍵  なかじま」のサービスが有る。【０００３】もう一つの方法として、旧樹脂である既存の樹脂塗膜の上から新規に樹脂を塗布し、劣化した表面を覆い隠す方法がある。
【先行技術文献】
【非特許文献】
【０００４】
【非特許文献１】靴修理・合鍵  なかじまｈｔｔｐ：／／ｎａｋａｊｉｍａ．ｉａｉｇｉｒｉ．ｃｏｍ／ｓｕｂ．ｐａｎｐｓｌ．ｈｔｍｌ  ２０１１．６．１３
【発明の概要】
【発明が解決しようとする課題】
【０００５】従来の加工済みの皮革と交換する方法において、皮革製品は箇所により一度分解すると元通りの形状を回復することが出来ない事もあるため、適用出来る箇所が限定されていた。また、色合いを合わせること・同じ風合いの素材を探す事は時に困難であり、非常に煩雑であった。その２つに解決すべき課題があった。【０００６】また０００３で示した方法では、旧樹脂塗膜と新規に塗布した塗膜との密着度が悪く、水濡れや屈曲、湿気や擦過による経時劣化が著しい事、処置箇所と未処置箇所の境界が目立ってしまう事、それらに解決すべき課題があった。
【発明の目的】
【０００７】本発明は従来の修理法が有した課題を解決するためのものであり、修理対象箇所を選ばず、色合せをより容易かつより元来の風合いに近づける事を可能とし、さらに高耐候高耐久性を実現し、かつ修理痕を残さずに修理する事を目的とする。
【課題を解決するための手段】
【０００８】本発明は上記課題を解決するため、皮革製品を分解せず、修理対象部材の劣化した樹脂塗膜を除去し、樹脂塗膜を作り直すものである。
【発明の効果】
【０００９】上記した課題解決手段により得られる効果は次のとおりである。
本発明は０００２に示した修理方法と比べて、色味・艶味・樹脂硬度の選択に莫大な選択肢があり、かつそれを容易に調達できるため、元の製品の仕上げの希少性を問わず、より本来の質感に近い仕上げを施すことができる。また、皮革製品として組み立てられたものの中には一度分解すると元に戻せないものも多く、それらを分解することなく修理できるため、製造方法や修理対象物の設計を選ばない。
【００１０】また本発明は０００３に示した修理方法と比べて、また、樹脂の上から重ねるのではなく、皮革素地に直接樹脂または接着剤やプライマーを使用する事ができるため、樹脂の密着度を大幅に向上させる事ができる。その事から、屈曲に対する剥がれにくさ、剥がれにくさから来る塗膜の割れ難さ、耐水性、擦過による剥がれにくさを、飛躍的に向上させることができる。
また、処置箇所と未処置箇所の境界部は、皮革同士の継ぎ目である切り返し部や切断部に追い込む事で、目立たせず仕上げることが出来る。
さらに、樹脂塗膜の下に浸透して表面からは手の施しようのなかった汚れとシミに、樹脂塗膜を一度剥がすことで直接染み抜きや汚れ落ちしといった処置を施す事ができる。
さらに塗膜下の皮革素地を染め直すことによって、シミ抜きで落とせなかったシミを目立たなくする事もできる。
【図面の簡単な説明】
【００１１】例として、クリア樹脂仕上げの靴に出来たキズの修復をあげる。
【図１】修理を必要とする状態  ▲１▼塗膜のヒビ、塗膜の浮き  ▲２▼切り返し部（部材の継ぎ目）  ▲３▼樹脂の曇り  ▲４▼キズ  ▲５▼修理対象箇所以外の塗膜は剥がさず残しておく
【図２】作業工程１、劣化樹脂の除去工程  ▲６▼樹脂層を除去した。
【図３】作業工程２，下地の調整工程  ▲７▼樹脂層を除去し、皮革が露出した箇所へ塗布する樹脂の密着度を上げるため、下地を整える。この時、樹脂塗膜下にまで浸透したシミや汚れがある場合、染色や染み抜きや汚れ落としをする。
【図４】作業工程３、樹脂塗膜の塗布工程  ▲８▼樹脂層を除去した箇所に、新しい樹脂を塗布していく  ▲９▼修理対象部材以外にかからないよう注意しながら、新たに樹脂を塗布する。▲１０▼修理対象外部材。ここにかかってしまいそうな場合はマスキングを施す。
【発明を実施するための形態】
【００１２】施工の工程
１，劣化樹脂の除去工程
皮革表面に施された樹脂を、切り返し部分（部材同士の継ぎ目）や切断箇所（部材を切った端の部分）である修理対象面の隅部の範囲まで除去するには以下のいずれか、もしくはそれらを組み合わせた方法で除去する。塗膜に浮きが生じて剥がれかかっている場合、塗膜の対引張強さを利用して、▲１▼の方法で引き剥がすと最も早く大きな面の除去を達成できる。樹脂塗膜が劣化はしているが浮きは生じていない場合▲２▼の方法を用いれば、早く大きな面の除去を達成できる。樹脂塗膜が薄い場合は▲３▼の方法を用いれば皮革素地にキズを付けることなく確実な除去を達成できる。
▲１▼剥がれかけた塗膜を引っ張って剥離除去する方法。
▲２▼ヤスリ・研磨剤（＃１０〜＃２，０００）から選択された１種以上のものを用いて切削除去する方法。
▲３▼界面活性剤・剥離剤・有機溶剤（エタノール、キシレン、２−プロパノール、アセトン、トルエン、ベンジン類、テトラクロロエチレン、酢酸メチル、酢酸エチル、ヘキサン、テレピン油、ペトロール、アスピックオイルからなる群から選択された１種以上のもの）を用いて、溶かして除去する方法。
２，下地の調整工程
下地の調整工程では、新たに樹脂を塗布する前に一手間加える事で塗膜の密着度を更に向上させる事を目的としている。そのことから、常に必ずしも必要となる工程ではない。方法は以下のいずれか、もしくはそれらを組み合わせた方法で除去する。
▲１▼皮革素地をヤスリで荒らし、表面積を増やし、樹脂の密着度を上げる方法。
▲２▼接着剤やプライマーを使用し、樹脂の密着度を上げる方法。
▲３▼有機溶剤を使用し、脱脂する事によって樹脂の密着度を上げる方法。
３，樹脂塗膜の塗布工程
樹脂塗膜の塗布工程では、「１，劣化樹脂の除去工程」によって除去された樹脂を新たに作りなおす工程である。必要な工程は以下がある。
▲１▼新たに塗布する樹脂（ワニス、シリコン樹脂、アクリル樹脂、ポリエステル樹脂、またはウレタン樹脂からなる群から選択された１種以上のもの）を選定する。
▲２▼樹脂をエアブラシ、ブラシ、刷毛塗り、のいずれかもしくはそれらを組み合わせて塗布する方法がある。
【実施例】クリア樹脂塗装を表面に施された革靴の修理対象面に残った劣化樹脂を、隅部までおおまかに手で剥離し、サンドペーパーで可能な限り削除し、最後にアセトンで脱脂し、修理対象面以外の部分に塗料がかからないようマスキングし、水性アクリルウレタン塗料をエアブラシで吹きつけた所、非常に良好な結果が得られた。
特に革靴は皮革製品の中でも分解後の再組立が難しく、さらに曲面や奥まった部分を多分に有しているため、本発明以前は修理困難とされる場合が多かった。
【図１】
2014162922.tif 000002
【図２】
2014162922.tif 000003
【図３】
2014162922.tif 000004
【図４】
2014162922.tif 000005